(57)【要約】本発明は、歯科用カメラ（５）および光学アタッチメント（６）を備える、物体（２）を光学的に測定するための測定システム（１）に関する。この場合、光学アタッチメント（６）は少なくとも一つのレンズ（７、８）を備え、これは光学アタッチメント（６）が負の焦点距離を持つように形成されて配置されており、従って歯科用カメラ（５）の測定野または測定体積（９）は光学アタッチメント（６）によって拡大される。【選択図】図１
2018518209.tif 000002
【特許請求の範囲】
【請求項１】
歯科用カメラ（５）および光学アタッチメント（６）を備える、物体（２）を光学的に測定するために測定システム（１）であって、前記光学アタッチメント（６）が少なくとも一つのレンズ（７、８）を備え、前記光学アタッチメント（６）が負の焦点距離を持つように少なくとも一つのレンズが形成され、配置されており、従って前記歯科用カメラ（５）の測定野または測定体積（９）が前記光学アタッチメント（６）によって拡大されることを特徴とする、測定システム。
【請求項２】
前記歯科用カメラ（５）が二次元測定法または三次元測定法に基づくことを特徴とする、請求項１に記載の測定システム。
【請求項３】
前記歯科用カメラ（５）が二次元ビデオ撮像法、三次元三角測量測定法、三次元共焦点測定法または白色光干渉測定法に基づくことを特徴とする、請求項２に記載の測定システム。
【請求項４】
前記光学アタッチメント（６）が接続手段によって前記歯科用カメラ（５）に着脱可能に接続されることを特徴とする、請求項１〜３のいずれか一項に記載の測定システム。
【請求項５】
前記歯科用カメラ（５）の前記測定野または前記測定体積（９）が、前記光学アタッチメント（６）によって５以上の倍率に拡大されることを特徴とする、請求項１〜４のいずれか一項に記載の測定システム。
【請求項６】
前記光学アタッチメント（６）が、前記物体（３、４）に対する前記歯科用カメラ（５）の照射ビーム（１３、１４）および観察ビームを偏向するビーム偏向器をさらに備えることを特徴とする、請求項１〜５のいずれか一項に記載の測定システム。
【請求項７】
前記光学アタッチメント（６）が複数のレンズ（７、８）を備え、複数のレンズが、前記光学アタッチメント（６）が負の焦点距離を持つように形成され、互いに配置されていることを特徴とする、請求項１〜６のいずれか一項に記載の測定システム。
【請求項８】
辺長１０ｍｍ〜２０ｍｍの立方体の形態の前記三次元歯科用カメラ（５）の前記測定体積（９）が、前記光学アタッチメント（６）によって３０ｍｍ以上の辺長を持つ拡大された測定体積（１１）に拡大されることを特徴とする、請求項１〜７のいずれか一項に記載の測定システム。
【請求項９】
前記光学アタッチメント（６）が負の焦点距離を持ち、従って前記歯科用カメラの測定野または測定体積（９）が前記光学アタッチメント（６）によって拡大されることを特徴とする、着脱可能な光学アタッチメント（６）付きの歯科用カメラ（５）を用いて物体（３、４）を測定するための方法。
【請求項１０】
前記歯科用カメラ（５）が二次元測定法または三次元測定法に基づくことを特徴とする、請求項９に記載の方法。
【請求項１１】
前記歯科用カメラ（５）が二次元ビデオ撮像法、三次元三角測量測定法、三次元共焦点測定法または白色光干渉測定法に基づくことを特徴とする、請求項１０に記載の方法。
【請求項１２】
前記光学アタッチメント（６）によって、前記歯科用カメラ（５）の前記測定野または前記測定体積（９）が５以上の倍率に拡大されることを特徴とする、請求項９〜１１のいずれか一項に記載の方法。
【請求項１３】
患者の前記歯（４）が前記光学アタッチメント（６）なしの前記歯科用カメラ（５）を用いて測定されて、前記歯の第一の画像が生成され、前記患者の前記顔（３）の少なくとも一部分が、前記拡大された測定野または測定体積（１１）を持つ前記光学アタッチメント（６）付きの前記歯科用カメラ（５）を用いて測定されて、前記顔の第二の画像が生成され、前記歯（４）の前記第一の画像および前記顔（３）の前記第二の画像が引き続いて登録されて複合画像を形成することを特徴とする、請求項９〜１２のいずれか一項に記載の方法。
【発明の詳細な説明】
【技術分野】
【０００１】
本発明は、歯科用カメラおよび光学アタッチメントを備える、物体を光学的に測定するための方法および測定システムに関する。
【背景技術】
【０００２】
歯科物体を光学的に測定するための多くの方法および測定装置が従来技術で知られている。
【０００３】
ＤＥ  １００  ４３  ７４９  Ａ１は、画像取得のための歯科用ハンドピース、および調査すべき歯牙組織の領域に励起放射を方向付けるための手段を開示しており、この場合、カメラはセンサーヘッドおよびカメラモジュールから構成される２つの部分で設計されている。異なる光学特性を持つ異なるレンズチューブを使用することによって、カメラは異なる撮像特性を備えることができ、結果としてそれぞれの用途に適合させることができる。アタッチメント内に画像を伝達するために、プリズムの形態の偏向装置が使用される。
【０００４】
この歯科用カメラの欠点は、歯科用カメラが歯を測定するためにしか使用できないことである。
【０００５】
従って、本発明の目的は、歯だけではなく、より大きな物体を光学的に測定するために使用され、画像を生成できる測定システムを提供することである。
【発明の概要】
【０００６】
本発明は、歯科用カメラおよび光学アタッチメントを備える、物体を光学的に測定するための測定システムに関する。この場合、光学アタッチメントは少なくとも一つのレンズを備え、これは光学アタッチメントが負の焦点距離を持つように形成されて配置されており、従って歯科用カメラの測定野または測定体積は光学アタッチメントによって拡大される。
【０００７】
歯科用カメラは任意の携帯型歯科用カメラとすることができ、これは二次元またはさらには三次元測定法に基づく。
【０００８】
物体は患者の歯または患者の顔としうる。光学アタッチメントは、従来的歯科用カメラに留めるための締結手段と共に提供されうる。締結手段は、例えば、既知のミラースリーブの締結手段に対応しうる。
【０００９】
締結手段は、例えば、スナップロック機構および板ばねを含むことができ、従ってアタッチメントを歯科用カメラに取り付けた時、それがカチッと閉まり、その際、歯科用カメラに対して所定位置に固定される。
【００１０】
従って、光学アタッチメントは単一レンズ、または複数の光学レンズから構成されるレンズシステムも備えることができ、複数の光学レンズは、光学アタッチメントが負の焦点距離を持ち、測定体積を拡大するように互いに配置され、形成されている。光学アタッチメントは、例えば、平凸レンズおよび凸平レンズまたは凹凸レンズおよび凸凹レンズから構成されうる。測定野は、歯科用カメラが物体を測定する区域である。三次元光学歯科用カメラの場合、物体の測定体積が測定される。二次元カメラの場合この測定野、または三次元カメラの場合は測定体積が光学アタッチメントによって大幅に拡大され、従ってより大きな物体を測定することができる。
【００１１】
本測定システムの一つの利点は、光学アタッチメントを用いて、従来的歯科用カメラを、歯の測定だけでなく、患者の顔または顔の一部分などのより大きな物体の測定にも使用できることである。
【００１２】
有利なことに、歯科用カメラは二次元測定法または三次元測定法に基づくことができる。
【００１３】
結果として、光学アタッチメントを二次元歯科用カメラおよび三次元歯科用カメラの両方に使用することができる。
【００１４】
有利なことに、歯科用カメラは二次元ビデオ撮像法、三次元三角測量測定法、三次元共焦点測定法または白色光干渉測定法に基づくことができる。
【００１５】
三次元三角測量測定法は、例えば、良く知られている縞投影法とすることができ、この方法では明暗の縞パターンが測定する物体の上に投影される。次に、投影図に対して既知の視野角で投影された縞パターンを、歯科用カメラを用いて撮影する。いわゆる位相シフト法を使用して、パターン中の縞の位置を反映する投影座標を決定する。照射ビームと観察ビームとの間の既知の三角測量角度で、物体のそれぞれの測定点の３Ｄ空間座標を決定することができる。こうして、物体の各測定点に対する空間座標が決定され、物体の表面の三次元画像が計算される。
【００１６】
三次元共焦点測定法の場合、歯科物体の表面が徐々にサンプリングされ、焦点面が徐々にシフトする。焦点面の外側の光は、ピンホールによってできる限り遮断される。異なる焦点面の個別工程の測定画像データを使用して、測定する物体の三次元画像を計算することができる。
【００１７】
二次元ビデオ撮像法は既知の測定法であり、この方法では物体の一連の二次元画像が生成される。
【００１８】
白色光干渉法の場合、低コヒーレンス長の光が使用され、従って参照ビームまたは物体ビームの光路長がほぼ等しい時、結果は干渉色となる。光路長が変化すると干渉パターンが変化し、従って、干渉パターンに基づいて物体の表面からの距離を決定することができる。
【００１９】
歯科用カメラは、二次元ビデオ撮像法および三次元三角測量法の組み合わせである測定法にも基づくことができる。この場合、三角測量測定法からの三次元画像がカラー二次元ビデオ画像と重ねられ、従って三次元カラー画像が生成される。
有利なことに、光学アタッチメントは、接続手段を用いて歯科用カメラに着脱可能に接続しうる。
【００２０】
この態様では、使用者が、歯などの小さめの物体をアタッチメントなしのカメラを用いて測定し、顔の一部分などの大きめの物体をアタッチメントを付けたカメラを用いて測定することが可能になる。光学アタッチメントのカメラへの締結手段は、光学アタッチメントがカメラに対して所定の位置および配向に配置されるように設計されている。接続手段は、例えば、ねじ継手でありうる。
【００２１】
有利なことに、歯科用カメラの測定野または測定体積は、光学アタッチメントによって、５以上の倍率に拡大することができる。
【００２２】
従って、辺長１５ｍｍ〜２０ｍｍの立方体形態の歯科用カメラの典型的測定体積は、例えば、辺長３０ｍｍ以上の拡大測定体積に拡大することができる。その体積は、例えば、１００ｍｍ以上など、ずっと大きな辺長を持つこともできる。測定体積の辺長は、口、鼻および／または眼など、顔の適切部分を登録できるように選択すべきである。
【００２３】
有利なことに、光学アタッチメントは、歯科用カメラの照射ビームおよび観察ビームを物体に対して偏向させるビーム偏向器も備えることができる。
【００２４】
ビーム偏向器は、例えば、鏡またはプリズムとすることができ、こうすると、画像の測定の方向をカメラの縦方向に対して垂直に拡大することができる。この特徴は、特に歯を測定する時に有利である。
【００２５】
有利なことに、光学アタッチメントは、光学アタッチメントが負の焦点距離を持つように形成され、互いに配置された複数のレンズを備えうる。
【００２６】
こうして、結果として、負の焦点距離となるように複数の光学レンズが使用される。
【００２７】
有利なことに、辺長１０ｍｍ〜２０ｍｍの立方体形態の三次元歯科用カメラの測定体積は、光学アタッチメントによって辺長３０ｍｍ以上の拡大測定体積に拡大することができる。
【００２８】
結果として、顔の部分を、アタッチメント付きのカメラを用いて測定することができる。
【００２９】
さらに、本発明は、着脱可能な光学アタッチメント付きの歯科用カメラを用いて物体を測定する方法に関する。この場合、光学アタッチメントは負の焦点距離を持ち、従って歯科用カメラの測定野または測定体積は光学アタッチメントによって拡大される。
【００３０】
従って、本方法は、新規の光学アタッチメント付きの従来的歯科用カメラを用いてより大きな測定野を測定することを可能にする。
【００３１】
有利なことに、歯科用カメラは二次元測定法または三次元測定法に基づいてもよい。
【００３２】
この態様は、本発明を二次元または三次元歯科用カメラに適用することも可能にする。
【００３３】
有利なことに、歯科用カメラは二次元ビデオ撮像法、三次元三角測量測定法、三次元共焦点測定法または白色光干渉測定法に基づいてもよい。
【００３４】
結果として、本方法は、前述の測定法に基づく歯科用カメラに対して使用することができる。
【００３５】
有利なことに、歯科用カメラの測定野または測定体積は、光学アタッチメントによって、５以上の倍率に拡大することができる。
【００３６】
結果として、測定野が大幅に拡大される。
【００３７】
有利なことに、第一の工程で、患者の歯を光学アタッチメントなしの歯科用カメラを用いて測定することができ、歯の第一の画像が生成される。次に、第二の工程で、患者の顔の少なくとも一部分を、拡大された測定野または測定体積を持つ光学アタッチメント付きの歯科用カメラを用いて測定し、顔の第二の画像が生成される。その後、歯の第一の画像および顔の第二の画像が登録されて複合画像を生成する。
【００３８】
こうして、アタッチメントなしの歯科用カメラを使用して歯の状態を測定し、アタッチメント付きのカメラを使用して顔の少なくとも一部分を測定することができる。この文脈では、顔の測定部分には、例えば、鼻孔、顎の形状などの特徴的エリア、および同時に歯、特に犬歯の先端が含まれうる。
【００３９】
画像化された歯は、登録中に、アタッチメントなしのカメラを用いて生成された歯のより精密な画像と置き換えることができる。顔の一部分および歯の両方を含むこのような画像は、歯科技工士または歯科医が、顔の形状、鼻孔の幅または顎の形状を考慮した治療戦略を作り出すことを可能にする。従って、この情報を使用して義歯を設計することができる。例えば、天然歯の審美的視覚印象をまねるために、義歯は、２つの犬歯の先端の間の距離が鼻孔の幅と一致するように設計することができる。
【図面の簡単な説明】
【００４０】
本発明は図表を参照して説明する。
【００４１】
【図１】歯科用カメラおよび光学アタッチメントを備える測定システムを示す。
【図２】光学アタッチメントなしの歯科用カメラの観察ビームのビーム経路を示すスケッチである。
【図３】光学アタッチメント付きの歯科用カメラの観察ビームのビーム経路を示すスケッチである。
【図４】光学アタッチメント付きのカメラによる顔の一部分および歯の画像を示す。
【発明を実施するための形態】
【００４２】
図１は、患者３の顔および／または患者の歯４でありうる物体２を光学的に測定するための測定システム１を示す。測定システム１は、従来的歯科用カメラ５および光学アタッチメント６を備え、光学アタッチメントは第一の平凸レンズ７第二の凸平レンズ８を持つ。２つのレンズ７および８は、光学アタッチメント６が負の焦点距離を持つように形成され、カメラ５に対して配置されている。歯４などの小さな物体は、光学アタッチメント６なしのカメラ５を用いて測定され、この場合、歯科用カメラ５の測定体積９は比較的小さく、立方体のような形状の時、例えば、１０ｍｍ〜２０ｍｍの辺長１０を持つ。この測定体積９は、光学アタッチメント６によって１００ｍｍ以上の辺長１２を持つ拡大測定体積１１に拡大される。光学アタッチメント６なしの歯科用カメラ５の第一の照射ビーム１３は、破線で示されている。光学アタッチメント６付きの歯科用カメラ５の第二の照射ビーム１４は、拡大された測定体積１１の限度を画定する。
【００４３】
従って、測定システム１は、第一工程で、光学アタッチメント６なしのカメラ５を用いて歯４を測定し、次に第二工程で、光学アタッチメント６付きの同じカメラ５を用いて患者の顔３の一部分を測定する。次に、２つの画像を互いに引き続いて登録することができる。歯科用カメラ５は、三次元三角測量法または共焦点測定法に基づきうる。
【００４４】
図２は、光学アタッチメント６なしの歯科用カメラ５の照射ビーム１４のビーム長を示すスケッチである。歯科用カメラ５の設計は任意の方法で構成されうる。例えば、歯科用カメラ５はミラースリーブを持つことができ、これは図１に示されており、照射ビーム１４を歯科用カメラ５の縦軸に垂直に偏向する。しかし、歯科用カメラ５は、図２に示すように、ミラースリーブなしでも使用しうる。この場合、照射ビーム１４は、歯科用カメラ５の縦軸２０の方向に放射される。図２で、小さな測定体積９は破線で示されており、この測定体積は歯の一部分のみを測定する。
【００４５】
図３は、第一のレンズ７および第二のレンズ８を備える光学アタッチメント６付きの、図２のカメラ５のスケッチを示す。従って、光学アタッチメント６は、歯科用カメラ５の対物レンズに加えて、拡大された測定野１１の照射ビーム１４のビーム経路に配置されており、前記対物レンズ３０は第一のレンズ３１および第二のレンズ３２から構成される。従って、この配置は、歯科用カメラ５の測定体積９を、拡大された測定体積１１まで拡大することを可能にし、この場合、辺長１０のみでなく、深さ測定範囲３３も拡大される。三角測量測定法では、深さ測定範囲の拡大は、より長い焦点のために三角測量角度がそれに応じて減少することに基づく。共焦点測定法では、より長い焦点は深さ測定範囲の拡大にもつながる。図３は、照射ビーム１４が広げられ、結果として焦点３４も図１よりも互いに遠くなることを図式的に示す。
【００４６】
図４は、図１の光学アタッチメント６付きのカメラ５を用いて撮った顔３の一部分および歯４の画像４０を示す。精度を改善するために、アタッチメント６なしのカメラ５を用いて撮った歯のより精密な画像を、顔３の画像と共に登録することができる。アタッチメント６なしのカメラ５を用いて撮った歯４の画像はより高い解像度を持つためである。顔３の画像４０は、歯科技工士または歯科医が、顔４１の形状、鼻孔４２の幅または顎４３の形状および／または犬歯の先端４５からの距離４４を考慮した治療戦略をたてることを可能にする。図４に示す場合では、鼻孔４２の幅は距離４４と一致する。これはほとんどの人で自然な条件に対応する。従って、義歯を設計する時、天然歯をまねるために鼻孔４２の幅も考慮される。
【００４７】
参照番号
１  測定システム
２  物体
３  患者／患者の顔
４  歯
５  歯科用カメラ
６  光学アタッチメント
７  第一のレンズ
８  第二のレンズ
９  測定体積
１０  辺長
１１  拡大された測定体積
１２  辺長
１３  第一の照射ビーム
１４  第二の観察ビーム
２０  縦軸
３０  対物レンズ
３１  第一のレンズ
３２  第二のレンズ
３３  深さ測定範囲
３４  焦点
４０  画像
４１  顔の形状
４２  鼻孔の幅
４３  顎
４４  距離
４５  先端
【図１】
2018518209.tif 000003
【図２】
2018518209.tif 000004
【図３】
2018518209.tif 000005
【図４】
2018518209.tif 000006
【手続補正書】
【提出日】平成29年10月24日(2017.10.24)
【手続補正１】
【補正対象書類名】明細書
【補正対象項目名】全文
【補正方法】変更
【補正の内容】
【発明の詳細な説明】
【技術分野】
【０００１】
本発明は、歯科用カメラおよび光学アタッチメントを備える、物体を光学的に測定するための方法および測定システムに関する。
【背景技術】
【０００２】
歯科物体を光学的に測定するための多くの方法および測定装置が従来技術で知られている。
【０００３】
ＤＥ  １０２０１３２２３８９４  Ｂ３は、歯科用カメラを備え、調べる物体に点パターンを投影するため、および反射光ビームを撮像ユニットに伝達するために、光源、撮像ユニットおよび光学部品を持つ、歯科物体を光学的に測定するための測定システムを開示している。
【０００４】
ＥＰ  ０４３８３５３  Ａ１は、口全体を撮像するためにフォトレンズが撮像ユニットの上流に配置されている、口腔内カメラおよびレーザーを備える不格好な機器を開示している。
【０００５】
ＤＥ  １００  ４３  ７４９  Ａ１は、画像取得のための歯科用ハンドピース、および調査すべき歯牙組織の領域に励起放射を方向付けるための手段を開示しており、この場合、カメラはセンサーヘッドおよびカメラモジュールから構成される２つの部分で設計されている。異なる光学特性を持つ異なるレンズチューブを使用することによって、カメラは異なる撮像特性を備えることができ、結果としてそれぞれの用途に適合させることができる。アタッチメント内に画像を伝達するために、プリズムの形態の偏向装置が使用される。
【０００６】
この歯科用カメラの欠点は、歯科用カメラが歯を測定するためにしか使用できないことである。
【０００７】
従って、本発明の目的は、歯だけではなく、より大きな物体を光学的に測定するために使用され、画像を生成できる測定システムを提供することである。
【発明の概要】
【０００８】
本発明は、歯科用カメラおよび光学アタッチメントを備える、物体を光学的に測定するための測定システムに関する。この場合、光学アタッチメントは少なくとも一つのレンズを備え、これは光学アタッチメントが負の焦点距離を持つように形成されて配置されており、従って歯科用カメラの測定野または測定体積は光学アタッチメントによって拡大される。
【０００９】
歯科用カメラは任意の携帯型歯科用カメラとすることができ、これは二次元またはさらには三次元測定法に基づく。
【００１０】
物体は患者の歯または患者の顔としうる。光学アタッチメントは、従来的歯科用カメラに留めるための締結手段と共に提供されうる。締結手段は、例えば、既知のミラースリーブの締結手段に対応しうる。
【００１１】
締結手段は、例えば、スナップロック機構および板ばねを含むことができ、従ってアタッチメントを歯科用カメラに取り付けた時、それがカチッと閉まり、その際、歯科用カメラに対して所定位置に固定される。
【００１２】
従って、光学アタッチメントは単一レンズ、または複数の光学レンズから構成されるレンズシステムも備えることができ、複数の光学レンズは、光学アタッチメントが負の焦点距離を持ち、測定体積を拡大するように互いに配置され、形成されている。光学アタッチメントは、例えば、平凸レンズおよび凸平レンズまたは凹凸レンズおよび凸凹レンズから構成されうる。測定野は、歯科用カメラが物体を測定する区域である。三次元光学歯科用カメラの場合、物体の測定体積が測定される。二次元カメラの場合この測定野、または三次元カメラの場合は測定体積が光学アタッチメントによって大幅に拡大され、従ってより大きな物体を測定することができる。
【００１３】
本測定システムの一つの利点は、光学アタッチメントを用いて、従来的歯科用カメラを、歯の測定だけでなく、患者の顔または顔の一部分などのより大きな物体の測定にも使用できることである。
【００１４】
有利なことに、歯科用カメラは二次元測定法または三次元測定法に基づくことができる。
【００１５】
結果として、光学アタッチメントを二次元歯科用カメラおよび三次元歯科用カメラの両方に使用することができる。
【００１６】
有利なことに、歯科用カメラは二次元ビデオ撮像法、三次元三角測量測定法、三次元共焦点測定法または白色光干渉測定法に基づくことができる。
【００１７】
三次元三角測量測定法は、例えば、良く知られている縞投影法とすることができ、この方法では明暗の縞パターンが測定する物体の上に投影される。次に、投影図に対して既知の視野角で投影された縞パターンを、歯科用カメラを用いて撮影する。いわゆる位相シフト法を使用して、パターン中の縞の位置を反映する投影座標を決定する。照射ビームと観察ビームとの間の既知の三角測量角度で、物体のそれぞれの測定点の３Ｄ空間座標を決定することができる。こうして、物体の各測定点に対する空間座標が決定され、物体の表面の三次元画像が計算される。
【００１８】
三次元共焦点測定法の場合、歯科物体の表面が徐々にサンプリングされ、焦点面が徐々にシフトする。焦点面の外側の光は、ピンホールによってできる限り遮断される。異なる焦点面の個別工程の測定画像データを使用して、測定する物体の三次元画像を計算することができる。
【００１９】
二次元ビデオ撮像法は既知の測定法であり、この方法では物体の一連の二次元画像が生成される。
【００２０】
白色光干渉法の場合、低コヒーレンス長の光が使用され、従って参照ビームまたは物体ビームの光路長がほぼ等しい時、結果は干渉色となる。光路長が変化すると干渉パターンが変化し、従って、干渉パターンに基づいて物体の表面からの距離を決定することができる。
【００２１】
歯科用カメラは、二次元ビデオ撮像法および三次元三角測量法の組み合わせである測定法にも基づくことができる。この場合、三角測量測定法からの三次元画像がカラー二次元ビデオ画像と重ねられ、従って三次元カラー画像が生成される。
有利なことに、光学アタッチメントは、接続手段を用いて歯科用カメラに着脱可能に接続しうる。
【００２２】
この態様では、使用者が、歯などの小さめの物体をアタッチメントなしのカメラを用いて測定し、顔の一部分などの大きめの物体をアタッチメントを付けたカメラを用いて測定することが可能になる。光学アタッチメントのカメラへの締結手段は、光学アタッチメントがカメラに対して所定の位置および配向に配置されるように設計されている。接続手段は、例えば、ねじ継手でありうる。
【００２３】
有利なことに、歯科用カメラの測定野または測定体積は、光学アタッチメントによって、５以上の倍率に拡大することができる。
【００２４】
従って、辺長１５ｍｍ〜２０ｍｍの立方体形態の歯科用カメラの典型的測定体積は、例えば、辺長３０ｍｍ以上の拡大測定体積に拡大することができる。その体積は、例えば、１００ｍｍ以上など、ずっと大きな辺長を持つこともできる。測定体積の辺長は、口、鼻および／または眼など、顔の適切部分を登録できるように選択すべきである。
【００２５】
有利なことに、光学アタッチメントは、歯科用カメラの照射ビームおよび観察ビームを物体に対して偏向させるビーム偏向器も備えることができる。
【００２６】
ビーム偏向器は、例えば、鏡またはプリズムとすることができ、こうすると、画像の測定の方向をカメラの縦方向に対して垂直に拡大することができる。この特徴は、特に歯を測定する時に有利である。
【００２７】
有利なことに、光学アタッチメントは、光学アタッチメントが負の焦点距離を持つように形成され、互いに配置された複数のレンズを備えうる。
【００２８】
こうして、結果として、負の焦点距離となるように複数の光学レンズが使用される。
【００２９】
有利なことに、辺長１０ｍｍ〜２０ｍｍの立方体形態の三次元歯科用カメラの測定体積は、光学アタッチメントによって辺長３０ｍｍ以上の拡大測定体積に拡大することができる。
【００３０】
結果として、顔の部分を、アタッチメント付きのカメラを用いて測定することができる。
【００３１】
さらに、本発明は、着脱可能な光学アタッチメント付きの歯科用カメラを用いて物体を測定する方法に関する。この場合、光学アタッチメントは負の焦点距離を持ち、従って歯科用カメラの測定野または測定体積は光学アタッチメントによって拡大される。
【００３２】
従って、本方法は、新規の光学アタッチメント付きの従来的歯科用カメラを用いてより大きな測定野を測定することを可能にする。
【００３３】
有利なことに、歯科用カメラは二次元測定法または三次元測定法に基づいてもよい。
【００３４】
この態様は、本発明を二次元または三次元歯科用カメラに適用することも可能にする。
【００３５】
有利なことに、歯科用カメラは二次元ビデオ撮像法、三次元三角測量測定法、三次元共焦点測定法または白色光干渉測定法に基づいてもよい。
【００３６】
結果として、本方法は、前述の測定法に基づく歯科用カメラに対して使用することができる。
【００３７】
有利なことに、歯科用カメラの測定野または測定体積は、光学アタッチメントによって、５以上の倍率に拡大することができる。
【００３８】
結果として、測定野が大幅に拡大される。
【００３９】
有利なことに、第一の工程で、患者の歯を光学アタッチメントなしの歯科用カメラを用いて測定することができ、歯の第一の画像が生成される。次に、第二の工程で、患者の顔の少なくとも一部分を、拡大された測定野または測定体積を持つ光学アタッチメント付きの歯科用カメラを用いて測定し、顔の第二の画像が生成される。その後、歯の第一の画像および顔の第二の画像が登録されて複合画像を生成する。
【００４０】
こうして、アタッチメントなしの歯科用カメラを使用して歯の状態を測定し、アタッチメント付きのカメラを使用して顔の少なくとも一部分を測定することができる。この文脈では、顔の測定部分には、例えば、鼻孔、顎の形状などの特徴的エリア、および同時に歯、特に犬歯の先端が含まれうる。
【００４１】
画像化された歯は、登録中に、アタッチメントなしのカメラを用いて生成された歯のより精密な画像と置き換えることができる。顔の一部分および歯の両方を含むこのような画像は、歯科技工士または歯科医が、顔の形状、鼻孔の幅または顎の形状を考慮した治療戦略を作り出すことを可能にする。従って、この情報を使用して義歯を設計することができる。例えば、天然歯の審美的視覚印象をまねるために、義歯は、２つの犬歯の先端の間の距離が鼻孔の幅と一致するように設計することができる。
【図面の簡単な説明】
【００４２】
本発明は図表を参照して説明する。
【００４３】
【図１】歯科用カメラおよび光学アタッチメントを備える測定システムを示す。
【図２】光学アタッチメントなしの歯科用カメラの観察ビームのビーム経路を示すスケッチである。
【図３】光学アタッチメント付きの歯科用カメラの観察ビームのビーム経路を示すスケッチである。
【図４】光学アタッチメント付きのカメラによる顔の一部分および歯の画像を示す。
【発明を実施するための形態】
【００４４】
図１は、患者３の顔および／または患者の歯４でありうる物体２を光学的に測定するための測定システム１を示す。測定システム１は、従来的歯科用カメラ５および光学アタッチメント６を備え、光学アタッチメントは第一の平凸レンズ７第二の凸平レンズ８を持つ。２つのレンズ７および８は、光学アタッチメント６が負の焦点距離を持つように形成され、カメラ５に対して配置されている。歯４などの小さな物体は、光学アタッチメント６なしのカメラ５を用いて測定され、この場合、歯科用カメラ５の測定体積９は比較的小さく、立方体のような形状の時、例えば、１０ｍｍ〜２０ｍｍの辺長１０を持つ。この測定体積９は、光学アタッチメント６によって１００ｍｍ以上の辺長１２を持つ拡大測定体積１１に拡大される。光学アタッチメント６なしの歯科用カメラ５の第一の照射ビーム１３は、破線で示されている。光学アタッチメント６付きの歯科用カメラ５の第二の照射ビーム１４は、拡大された測定体積１１の限度を画定する。
【００４５】
従って、測定システム１は、第一工程で、光学アタッチメント６なしのカメラ５を用いて歯４を測定し、次に第二工程で、光学アタッチメント６付きの同じカメラ５を用いて患者の顔３の一部分を測定する。次に、２つの画像を互いに引き続いて登録することができる。歯科用カメラ５は、三次元三角測量法または共焦点測定法に基づきうる。
【００４６】
図２は、光学アタッチメント６なしの歯科用カメラ５の照射ビーム１４のビーム長を示すスケッチである。歯科用カメラ５の設計は任意の方法で構成されうる。例えば、歯科用カメラ５はミラースリーブを持つことができ、これは図１に示されており、照射ビーム１４を歯科用カメラ５の縦軸に垂直に偏向する。しかし、歯科用カメラ５は、図２に示すように、ミラースリーブなしでも使用しうる。この場合、照射ビーム１４は、歯科用カメラ５の縦軸２０の方向に放射される。図２で、小さな測定体積９は破線で示されており、この測定体積は歯の一部分のみを測定する。
【００４７】
図３は、第一のレンズ７および第二のレンズ８を備える光学アタッチメント６付きの、図２のカメラ５のスケッチを示す。従って、光学アタッチメント６は、歯科用カメラ５の対物レンズに加えて、拡大された測定野１１の照射ビーム１４のビーム経路に配置されており、前記対物レンズ３０は第一のレンズ３１および第二のレンズ３２から構成される。従って、この配置は、歯科用カメラ５の測定体積９を、拡大された測定体積１１まで拡大することを可能にし、この場合、辺長１０のみでなく、深さ測定範囲３３も拡大される。三角測量測定法では、深さ測定範囲の拡大は、より長い焦点のために三角測量角度がそれに応じて減少することに基づく。共焦点測定法では、より長い焦点は深さ測定範囲の拡大にもつながる。図３は、照射ビーム１４が広げられ、結果として焦点３４も図１よりも互いに遠くなることを図式的に示す。
【００４８】
図４は、図１の光学アタッチメント６付きのカメラ５を用いて撮った顔３の一部分および歯４の画像４０を示す。精度を改善するために、アタッチメント６なしのカメラ５を用いて撮った歯のより精密な画像を、顔３の画像と共に登録することができる。アタッチメント６なしのカメラ５を用いて撮った歯４の画像はより高い解像度を持つためである。顔３の画像４０は、歯科技工士または歯科医が、顔４１の形状、鼻孔４２の幅または顎４３の形状および／または犬歯の先端４５からの距離４４を考慮した治療戦略をたてることを可能にする。図４に示す場合では、鼻孔４２の幅は距離４４と一致する。これはほとんどの人で自然な条件に対応する。従って、義歯を設計する時、天然歯をまねるために鼻孔４２の幅も考慮される。
【００４９】
参照番号
１  測定システム
２  物体
３  患者／患者の顔
４  歯
５  歯科用カメラ
６  光学アタッチメント
７  第一のレンズ
８  第二のレンズ
９  測定体積
１０  辺長
１１  拡大された測定体積
１２  辺長
１３  第一の照射ビーム
１４  第二の観察ビーム
２０  縦軸
３０  対物レンズ
３１  第一のレンズ
３２  第二のレンズ
３３  深さ測定範囲
３４  焦点
４０  画像
４１  顔の形状
４２  鼻孔の幅
４３  顎
４４  距離
４５  先端
【国際調査報告】
2018518209.tif 000007
2018518209.tif 000008
2018518209.tif 000009
2018518209.tif 000010